(57)【要約】【目的】パススイッチの適正な切替制御と切替通知とを実現可能なことを課題とする。【構成】冗長構成伝送路からの各受信信号をバッファリングして位相調整し、該位相調整後の各系の信号を無瞬断で切替可能なパススイッチ装置において、位相調整後の運用系と非運用系の各信号を切り替え可能なパススイッチ１と、装置の運用系の受信信号につき警報が検出されたことにより前記パススイッチを非運用系に切り替え、かつ該警報が復旧して後、第１の所定時間Ｔｋを経過したことにより前記パススイッチを装置の運用系に切り戻すスイッチ制御部２と、装置の運用系の情報を保持する運用系保持部３であって、前記スイッチ制御部による非運用系への切替状態が前記第１の所定時間Ｔｋよりも長い第２の所定時間Ｔｊを経過したことにより自己が保持する情報を該非運用系の情報に切り替えるもの、とを備える。【選択図】　図１
2004015594.tif 000002
【特許請求の範囲】
【請求項１】
冗長構成伝送路からの各受信信号をバッファリングして位相調整し、該位相調整後の各系の信号を無瞬断で切替可能なパススイッチ装置において、
位相調整後の運用系と非運用系の各信号を切り替え可能なパススイッチと、
装置の運用系の受信信号につき警報が検出されたことにより前記パススイッチを非運用系に切り替え、かつ該警報が復旧して後、第１の所定時間を経過したことにより前記パススイッチを装置の運用系に切り戻すスイッチ制御部と、
装置の運用系の情報を保持する運用系保持部であって、前記スイッチ制御部による非運用系への切替状態が前記第１の所定時間よりも長い第２の所定時間を経過したことにより自己が保持する情報を該非運用系の情報に切り替えるもの、とを備えることを特徴とするパススイッチ装置。
【請求項２】
運用系保持部の何れの系も装置の運用系となり得ると共に、スイッチ制御部は、各時点の装置の運用系及び非運用系に対して請求項１に記載と同様に動作するように対称的に構成されていることを特徴とする請求項１に記載のパススイッチ装置。
【請求項３】
冗長構成伝送路からの各受信信号につき夫々に所定の信号を検出して該伝送路間の伝送路遅延差を求め、前記スイッチ制御部の第１の所定時間を該求めた伝送路遅延差よりも大となる範囲内で設定する設定手段を備えることを特徴とする請求項１に記載のパススイッチ装置
【請求項４】
運用系保持部は、両系が共に警報検出状態にある区間は、第２の所定時間を計数するためのタイマを停止させることを特徴とする請求項１に記載のパススイッチ装置。
【請求項５】
前記スイッチ制御部により一斉に制御される複数のパススイッチであって、自己の系とその対向系の各信号を夫々に切替選択可能なものと、前記運用系保持部が保持する装置の運用系の情報に従って制御される第２のスイッチであって、前記複数のパススイッチの各選択出力の信号を切替えるもの、とを備えることを特徴とする請求項１に記載のパススイッチ装置。
【発明の詳細な説明】
【０００１】
【発明の属する技術分野】
本発明はパススイッチ装置に関し、更に詳しくは冗長構成伝送路からの各受信信号をバッファリングして位相調整し、該位相調整後の各系の信号を無瞬断で切替可能なパススイッチ装置に関する。
【０００２】
【従来の技術】
図９は従来技術を説明する図で、従来のパススイッチ制御方式の構成を示している。図において、ネットワークの上位側ではノード（Ａ）５０とノード（Ｂ）６０とが２重の光リングネットワーク１００を介して相互に接続しており、ノードＡからノードＢに到る伝送路はＥＡＳＴ系とＷＥＳＴ系とに二重化されている。
【０００３】
予め、ノードＡより各系にマルチフレームを同時に送信すると、これらは伝送路長の相違に応じた時間差ＴをもってノードＢに到着する。ノードＢでは各系の先頭フレームに含まれる所定パターンを検出することで、伝送路遅延差（位相差）Ｔを検出する。
【０００４】
運用中は、ノードＡからの各系の受信信号をエラスティックメモリＥＭ１，２に記憶（バッファリング）すると共に、これらを位相差Ｔよりも大きい所定時間の経過後に読み出すことで、該位相差Ｔ分を吸収する。また、ノードＡからの各系の受信信号を夫々異常監視すると共に、現用（ＥＡＳＴ）系で異常を検出すると、スイッチ６３を予備（ＷＥＳＴ）系に切り替えることで、読出データを無瞬断（エラー無し）で切り替えられる。以下、この場合の動作を具体的に説明する．
図１０は従来のスイッチ切替動作のタイミングチャートで、伝送路距離がＥＡＳＴ系＜ＷＥＳＴ系の場合を示している。図１０（Ａ）はノードＢに到るＥＡＳＴ系で瞬時警報が発生した場合を示しており、ノードＢがＥＡＳＴ系で運用中（現用）の場合は、該現用（ＥＡＳＴ）系で警報検出されたことにより、スイッチ６３を直ちにＷＥＳＴ系に切替え、これに伴い、運用系の通知はＥＡＳＴ系からＷＥＳＴ系に変化する。
【０００５】
一方、ノードＢがＷＥＳＴ系で運用中（現用）の場合は、予備（ＥＡＳＴ）系で警報検出されたことにより、スイッチ６３の切替は行われず、従って、運用系の通知はＷＥＳＴ系のままである。
【０００６】
図１０（Ｂ）はノードＢのＥＡＳＴ系で継続警報が検出された場合を示しており、この場合も上記図１０（Ａ）と同様に動作する。即ち、ＥＡＳＴ系が現用の場合は、該現用（ＥＡＳＴ）系で警報検出されたことにより、スイッチ６３を直ちにＷＥＳＴ系に切替え、これに伴い、運用系の通知はＥＡＳＴ系からＷＥＳＴ系に変化する。
【０００７】
一方、ＷＥＳＴ系が現用の場合は、予備（ＥＡＳＴ）系で警報検出されたことにより、スイッチ６３の切替は行われず、従って、運用系の通知はＷＥＳＴ系のままである。このように、ネットワークの上位（リング）側では無瞬断ススイッチ６３の切替及びその通知（表示）が適正に行われる。
【０００８】
図９に戻り、一方、ネットワークの下位（分岐）側ではノードＡとノードｃとが伝送路８０を介して接続しており、通常、この伝送路８０は現用系（Ｗｏｒｋ）と予備系（Ｐｒｏｔｅｃｔｉｏｎ）とに二重化されている。但し、一般に、下位ノードｃとの間では、上記のような伝送路遅延差の検出機能が設けられていないため、ノードＡ，Ｂ間で行ったような無瞬断切替は行われない。また、ノードＡのＷ／Ｐ切替ポイントでは、ＥＡＳＴ系及びＷＥＳＴ系とも同一方向を選択するため、例えばノードＡの現用系（Ｗｏｒｋ）で障害検出される時は、該障害データはＥＡＳＴ系及びＷＥＳＴ系を介してノードＢに伝送される。以下、この場合の動作を具体的に説明する。
【０００９】
図１０（Ｃ）は下位（ノードＡ，ｃ間）の現用系で瞬時警報が発生した場合を示しており、ノードＡが現用系（ｗｏｒｋ）でエラーを検出し、直ちに予備系（ｐｒｏｔｅｃｔｉｏｎ）に切替えることで、瞬時警報となる。この場合でも瞬時のエラーデータはＥＡＳＴ糸及びＷＥＳＴ系に送信されるため、位相差ＴをもってノードＢに受信される。
【００１０】
ノードＢがＥＡＳＴ系で運用中（現用）の場合は、まず現用（ＥＡＳＴ）系で警報が検出されたことにより、スイッチ６３を直ちに予備（ＷＥＳＴ）系に切替え、これに伴い、運用系の通知はＥＡＳＴ系からＷＥＳＴ系に変化する。また、このエラーデータは位相差Ｔの後にノードＢのＷＥＳＴ系でも検出されるため、この時点では既にＷＥＳＴ系で運用中のノードＢは、該現用（ＷＥＳＴ）系で警報検出したことにより、スイッチ６３を直ちに予備（ＥＡＳＴ）系に切替え、これに伴い、運用系の通知はＷＥＳＴ系から更にＥＡＳＴ系へと変化する。即ち、スイッチ６３の切替及び運用系の通知がＥＡＳＴ→ＷＥＳＴ→ＥＡＳＴとばたつく。
【００１１】
一方、ノードＢがＷＥＳＴ系で運用中（現用）の場合は、位相差Ｔの後に現用（ＷＥＳＴ）系で警報検出されたことにより、スイッチ６３を直ちに予備（ＥＡＳＴ）系に切替え、これに伴い、運用系の通知はＷＥＳＴ系からＥＡＳＴ系へと変化する。
【００１２】
図１０（Ｄ）は下位の現用系で継続警報が発生した場合を示しており、このような状況は、ノードＡが現用系（ｗｏｒｋ）及び予備系（ｐｒｏｔｅｃｔｉｏｎ）でエラーを検出したため、予備系（ｐｒｏｔｅｃｔｉｏｎ）に切替えられないか、又は、下位系がニ重化されていないような場合に生じ得る。この場合も上記図１０（Ｃ）と同様に動作する。
【００１３】
【発明が解決しようとする課題】
しかし、上記図１０（Ｃ），（Ｄ）のケースは、下位系の障害が原因であるにも関わらず、本来の運用系（ＥＡＳＴ系／ＷＥＳＴ系）の通知（表示）が過剰に変化するため、必ずしも適正な運用系の通知とは言えなかった。
【００１４】
また、上記図１０（Ｄ）に示すＷＥＳＴ系運用中のパターンでは、本来的には両系故障であるにも関わらず、最終的にはスイッチ６３の選択系及びその通知がＥＡＳＴ系に切り替わっているが、このことをもって必ずしも切替（エラー）要因がＷＥＳＴ系にのみ存在していたとは断定できない（即ち、切替要因を特定出来ない）ため、必ずしも適正なスイッチ６３の切替制御及び運用系の通知とは言えなかった。
【００１５】
このように、従来のパススイッチ制御方式の下では、下位系の切替動作に連動して上位系でも過剰な切替動作が発生し、過剰な警報として通知するという欠点があった。このような動作は、保守者が切替動作の原因を追求していく上で、惑わす要因となるのみか、故障探索が遅れる要因ともなり得る。更には、下位系の下に更に下位系が多段に接続されているようなケ−スもあり、その場合は更に複雑で故障個所の特定が困難なものとなっていた。
【００１６】
本発明は上記従来技術の問題点に鑑みなされたもので、その目的とする所は、パススイッチの適正な切替制御と切替通知とを実現可能なパススイッチ装置を提供することにある。
【００１７】
【課題を解決するための手段】
上記の課題は例えば図１の構成により解決される。即ち、本発明（１）のパススイッチ装置は、冗長構成伝送路からの各受信信号をバッファリングして位相調整し、該位相調整後の各系の信号を無瞬断で切替可能なパススイッチ装置において、位相調整後の運用系と非運用系の各信号を切り替え可能なパススイッチ１と、装置の運用系の受信信号につき警報が検出されたことにより前記パススイッチを非運用系に切り替え、かつ該警報が復旧して後、第１の所定時間Ｔｋを経過したことにより前記パススイッチを装置の運用系に切り戻すスイッチ制御部２と、装置の運用系の情報を保持する運用系保持部３であって、前記スイッチ制御部による非運用系への切替状態が前記第１の所定時間Ｔｋよりも長い第２の所定時間Ｔｊを経過したことにより自己が保持する情報を該非運用系の情報に切り替えるもの、とを備えるものである。
【００１８】
挿入図（ａ）に下位の現用系で発生した瞬時警報の影響が、まず装置の運用（例えばＥＡＳＴ）系で検出され、かつ伝送路遅延差Ｔの後に非運用（ＷＥＳＴ）系でも検出される典型的な場合のタイミングチャートを示す。
【００１９】
スイッチ制御部２は、装置の運用（ＥＡＳＴ）系の受信信号につき瞬時警報ＡＬＥが検出されたことによりパススイッチ１を非運用（ＷＥＳＴ）系に切り替える。よってパススイッチ１２の出力にはエラーデータが出力されない。即ち、無瞬断切替が可能である。更に、スイッチ制御部２は、瞬時警報ＡＬＥが復旧して後、第１の所定時間Ｔｋ（＞Ｔ）を経過したことによりパススイッチ１を装置の運用（ＥＡＳＴ）系に切り戻す。従って、この場合もパススイッチ１からはエラーデータが出力されない。
【００２０】
一方、運用系保持部３は、スイッチ制御部２が上記非運用（ＷＥＳＴ）系を選択している状態Ｔｗを計数するが、この例では該Ｔｗが第２の所定時間Ｔｊ（＞Ｔ＋Ｔｋ）を超えないため、自己が保持する運用（ＥＡＳＴ）系の情報ＥＭに変化はない。このため、位相差Ｔの後に装置の非運用（ＷＥＳＴ）系で警報ＡＬＷが検出されても、これによってはパススイッチ１が切り替わらないばかりか、装置の運用（ＥＡＳＴ）系にも変化はない。
【００２１】
従って、本発明（１）によれば、下位の現用系で瞬時警報が発生しても、パススイッチ１の出力にはエラーデータが出力されないばかりか、装置の現用系にも変更がない。
【００２２】
本発明（２）では、本発明（１）において、運用系保持部の何れの系も装置の運用系となり得ると共に、スイッチ制御部は、各時点の装置の運用系及び非運用系に対して請求項１に記載と同様に動作するように対称的に構成されているものである。
【００２３】
従って、装置の運用系がＥＡＳＴ系からＷＥＳＴ系に変わった場合は、該ＷＥＳＴ系を装置の運用系として上記と同様（対称的）に動作する。
【００２４】
本発明（３）では、本発明（１）において、冗長構成伝送路からの各受信信号につき夫々に所定の信号を検出して該伝送路間の伝送路遅延差Ｔを求め、前記スイッチ制御部２の第１の所定時間Ｔｋを該求めた伝送路遅延差Ｔよりも大となる範囲内で設定する設定手段を備えるものである。従って、伝送路毎に最適の切戻し時間Ｔｋを自動的に設定できる。
【００２５】
本発明（４）では、本発明（１）において、運用系保持部３は、両系が共に警報検出状態にある区間は、第２の所定時間Ｔｊを計数するためのタイマを停止させるものである。従って、下位の現用系で継続警報が発生しても、パススイッチ１の出力にはエラーデータが出力されないばかりか、装置の現用系にも変更がない。
【００２６】
本発明（５）では、本発明（１）において、例えば図７（Ａ）に示す如く，前記スイッチ制御部２により一斉に制御される複数のパススイッチ１２ｅ，１２ｗであって、自己の系（ＥＡＳＴ／ＷＥＳＴ）とその対向系（ＷＥＳＴ／ＥＡＳＴ）の各信号を夫々に切替選択可能なものと、前記運用系保持部３が保持する装置の運用系の情報に従って制御される第２のスイッチ１４であって、前記複数のパススイッチ１２ｅ，１２ｗの各選択出力の信号を切替えるもの、とを備えるものである。
【００２７】
【発明の実施の形態】
以下、添付図面に従って本発明に好適なる実施の形態を詳細に説明する。なお、全図を通して同一符号は同一又は相当部分を示すものとする。
【００２８】
図２は第１の実施の形態によるノードの要部構成図で、パススイッチ制御に係る構成を示している。図において、ＡＬＤ１，ＡＬＤ２はＥＡＳＴ系及びＷＥＳＴ系の警報検出部、ＭＦ１，ＭＦ２はマルチフレームの先頭パターンを検出するマルチフレーム検出部、ＥＭ１，ＥＭ２は各系の受信データをバッファリング（位相調整）するためのエラスティックメモリ、ＷＣ１，ＷＣ２は受信データの書込制御部、ＲＣは記憶データの読出制御部、１２は各系の読出データを無瞬断で切替えるパススイッチ（ＰＳＷ）、ＦＦ１は装置の現用／予備の状態を保持するフリップフロップ（図１の運用系保持部３に相当）、１１ｅ，１１ｗは各系のパススイッチ制御部（ＰＳＣ）、１３ｅ，１３ｗは同じく通知用スイッチ制御部（ＴＳＣ）、ＣＴＲはカウンタ、ＣＰはコンパレータ、ＲＧはレジスタ、２１は本装置の主制御を行うＣＰＵ、２２はＣＰＵ２１が使用する主メモリ（ＭＭ）、２３はＣＰＵ２１の共通バスである。
【００２９】
書込制御部ＷＣ１，ＷＣ２は、ＥＭ１，ＥＭ２の夫々にマルチフレームデータの先頭からのデータ書込を行う。読出制御部ＲＣは、該最初のデータ書込から少なくとも各系の伝送路遅延差Ｔを経過した後の同一タイミングに同一の記憶データを先頭から読み出す。従って、各系のデータは同位相で読み出され、パススイッチ１２における無瞬断（エラー無し）の切替が可能となる。
【００３０】
パススイッチ制御部１１ｅは、装置の現用（ＥＡＳＴ）系におけるエラーＡＬＥの検出により直ちにパススイッチ１２を予備（ＷＥＳＴ）系に切替えると共に、該エラーＡＬＥが回復して後、所定の切戻し時間Ｔｋ（＞Ｔ）を経過すると、パススイッチ１２を装置の現用（ＥＡＳＴ）系に切り戻す。
【００３１】
これを具体的に言うと、予め、ＣＰＵ２１よりレジスタＲＧ１に切戻時間Ｔｋに相当するパラメータをセットする。その後、ＥＡＳＴ系が装置の現用（ＥＭ＝１）系の状態で、該ＥＡＳＴ系にアラーム信号ＡＬＥ＝１が検出されると、ＡＮＤゲート回路Ａ１を満足し、直ちにカウンタＣＴＲ１をリセットする。
【００３２】
これにより、コンパレータＣＰ１では比較出力信号ａ＞ｂ＝０となり、これがＡＮＤ−ＯＲゲート回路ＡＯ１の下側ゲートを介してパススイッチ１２に加えられ、パススイッチ１２の選択はＷＥＳＴ系に切り替わる。その後、ＡＮＤゲート回路Ａ１を満足する間は、カウンタＣＴＲ１はリセットされ続ける。
【００３３】
こうして、やがて、アラーム信号ＡＬＥ＝０に復旧（ＥＡＳＴ系の瞬時警報に相当）すると、ＡＮＤゲート回路Ａ１が満足しないことにより、カウンタＣＴＲ１がカウントアップを開始し、やがて、そのカウント出力Ｑ＞Ｔｋになると、比較出力信号ａ＞ｂ＝１となり、これがゲート回路ＡＯ１を介してパススイッチ１２に加えられ、パススイッチ１２の選択はＥＡＳＴ系に切り戻る。
【００３４】
一方、通知用スイッチ制御部１３ｅは、パススイッチ１２の装置の予備系への切替状態が所定時間Ｔｊ（＞Ｔ＋Ｔｋ）を超えて継続した場合に動作する。これを具体的に言うと、予め、ＣＰＵ２１よりレジスタＲＧ２に保護時間Ｔｊに相当するパラメータをセットする。その後、上記ＥＡＳＴ系が装置の現用（ＥＭ＝１）の状態で、該ＥＡＳＴ系にアラーム信号ＡＬＥ＝１が検出されると、コンパレータＣＰ１の比較出力信号ａ＞ｂ＝０（偽）となり、これがカウンタＣＴＲ２のリセット端子に加えられているため、カウンタＣＴＲ２はカウントを開始する。但し、両系が異常（アラーム検出状態）の場合はＮＡＮＤゲート回路ＮＡ１が満足し、その区間におけるカウンタＣＴＲ２のカウントアップを停止させる。そして、コンパレータＣＰ１の比較出力信号ａ＞ｂ＝０の状態が継続（ＥＡＳＴ系の継続警報に相当）し、やがて、カウンタＣＴＲ２のカウント出力Ｑ＞Ｔｊになると、コンパレータＣＰ２の比較出力信号ａ＞ｂ＝１となり、その立ち上がりでＦＦ１をリセット（ＷＭ＝１）する。この場合は、ＷＥＳＴ系が装置の現用となる。パススイッチ制御部１１ｗ、通知用スイッチ制御部１３ｗの動作についても同様である。
【００３５】
図３は実施の形態による切戻時間決定処理を説明する図で、図３（Ａ）にＣＰＵ２１が実行する該処理のフローチャートを示す。また図３（Ｂ）に切戻時間決定処理のイメージを示す。装置の起動時及び又はその後の定期的に図３（Ａ）の処理に入力する。ステップＳ１１では先頭フレームの検出を待ち、やがて、先頭フレームが検出されると，ステップＳ１２では該検出された系に従って処理分岐する。即ち、ＥＡＳＴ系で検出の場合はステップＳ１３でその検出時刻をＥＡＳＴ系の記憶エリアに記憶し、またＷＥＳＴ系で検出の場合ステップＳ１４でその検出時刻をＷＥＳＴ系の記憶エリアに記憶する。ステップＳ１５では両系分を検出したか否かを判別し、未検出の場合はステップＳ１１に戻る。そして、やがて、ステップＳ１５の判別で両系分を検出した場合は、ステップＳ１６で両系の検出時刻の差分（伝送路遅延差）Ｔを求め、これに基づき切戻時間Ｔｋ（＞Ｔ）を決定する。
【００３６】
従って、ネットワーク構成による遅延差の相違に柔軟に対応でき、かつ切戻時間Ｔｋを最短時間（必要最低限）に設定することが可能となる。なお、この切戻時間Ｔｋは、保守者が決定し、ＣＰＵ２１を介して設定するように構成しても良い。
【００３７】
図４，図５は第１の実施の形態によるスイッチ切替動作のタイミングチャート（１），（２）で、上記図９のノードＢに適用した場合を示している。図４（Ａ）はノードＢのＥＡＳＴ系で瞬時警報が発生した場合を示しており、ＥＡＳＴ系での瞬時警報発生ではエラーデータが出力されないばかりか、装置の現用系（運用系）の変更も発生しない。以下、これを具体的に説明する。
【００３８】
ノードＢがＥＡＳＴ系で運用中（現用）の場合は、該現用（ＥＡＳＴ）系で警報検出されたことにより、パススイッチ１２を直ちに予備（ＷＥＳＴ）系に切替え、よってパススイッチ１２からエラーデータは出力されない。この瞬時警報は比較的に短い時間α（＜Ｔ）の後に回復しており、パススイッチ制御部１１ｅでは該瞬時警報回復後の時間を計測すると共に、所定の切戻時間Ｔｋ（＞Ｔ）を経過すると、パススイッチ１２を装置の現用（ＥＡＳＴ）系に切り戻す。この場合もＥＡＳＴ系は既に障害回復しているのでパススイッチ１２からはエラーデータは出力されない。
【００３９】
一方、通知用スイッチ制御部１３ｅでは、上記パススイッチ１２が装置の予備（ＷＥＳＴ）系に切り替わったと同時に保護タイマのカウントを開始するが、この例では保護時間Ｔｊ＞（Ｔｋ＋α）であるために、保護タイマはタイムアウトせず、よって、装置の現用（ＥＡＳＴ）系に変更は発生しない。
【００４０】
また、ノードＢがＷＥＳＴ系で運用中（現用）の場合は、装置の予備（ＥＡＳＴ）系で警報検出されたことにより、パススイッチ１２の切替は行われない。よって、装置の現用（ＥＡＳＴ）系に変更は発生しない。
【００４１】
図４（Ｂ）はノードＢのＥＡＳＴ系で継続警報が発生した場合を示しており、ＥＡＳＴ系での継続警報発生でもエラーデータが出力されないばかりか、現用系の変更通知は必要最小限の態様で発生する。以下、これを具体的に説明する。
【００４２】
ノードＢがＥＡＳＴ系で運用中（現用）の場合は、該現用（ＥＡＳＴ）系で警報検出されたことにより、パススイッチ１２を直ちに予備（ＷＥＳＴ）系に切替え、よってパススイッチ１２からエラーデータは出力されない。この継続警報は比較的に長い時間β（＞Ｔ）の後に回復しており、パススイッチ制御部１１ｅでは該継続警報回復後の時間を計測する。
【００４３】
一方、通知用スイッチ制御部１３ｅでは、上記パススイッチ１２が予備（ＷＥＳＴ）系に切り替わったと同時に保護タイマのカウントを開始するが、この例では保護時間Ｔｊ＜（β＋Ｔｋ）であるため、該保護タイマは途中でタイムアウトし、この時点で装置の現用（ＥＡＳＴ）系はＷＥＳＴ系に切り替わる。
【００４４】
一方、パススイッチ制御部１１ｅでは、カウンタＣＴＲ１が引き続き上記警報回復後の時間を計測すると共に、やがて、所定時間Ｔｋ（＞Ｔ）を経過すると、パススイッチ１２をＥＡＳＴ系に切り戻そうとする。しかし、この場合は、装置の現用系は既にＷＥＳＴ系に切り替わっているため、その時点からパススイッチ制御部１１ｗの出力のパス選択信号（＝０）が有効となっており、これによりその後のパススイッチ１２の選択はＷＥＳＴ系のままである。こうして、パススイッチ選択系の変化通知は必要最小限の１回（Ｅ→Ｗ）となっている。
【００４５】
また、ノードＢがＷＥＳＴ系で運用中（現用）の場合は、装置の予備（ＥＡＳＴ）系で警報検出されたことにより、パススイッチ１２の切替は行われない。よって、装置の現用（ＷＥＳＴ）系の変更も発生しない。
【００４６】
図５（Ａ）は下位（ノードＡ，ｃ間）の現用（ｗｏｒｋ）系で発生した瞬時警報の影響がノードＢに伝搬する場合を示しており、ノードＢのＥＡＳＴ系で検出される瞬時警報は伝送路遅延差Ｔの後にＷＥＳＴ系でも検出される。この場合もパススイッチ１２の出力にはエラーデータが出力されないばかりか、装置の現用系の変更も発生しない。以下、これを具体的に説明する。
【００４７】
ノードＢがＥＡＳＴ系で運用中（現用）の場合は、該現用（ＥＡＳＴ）系で警報検出されたことにより、パススイッチ１２を直ちに予備（ＷＥＳＴ）系に切替え、よってパススイッチ１２からエラーデータは出力されない。この瞬時警報は比較的に短い時間α（＜Ｔ）の後に回復しており、パススイッチ制御部１１ｅでは該瞬時警報回復後の時間を計測すると共に、所定の切戻時間Ｔｋ（＞Ｔ）を経過すると、パススイッチ１２を装置の現用（ＥＡＳＴ）系に切り戻す。この場合もＥＡＳＴ系では既に障害回復しているのでパススイッチ１２からはエラーデータは出力されない。
【００４８】
また、この切戻時間Ｔｋのカウント中には、装置の予備（ＷＥＳＴ）系でも瞬時警報ＡＬＷが検出されるが、この時点では未だ装置の現用（ＥＡＳＴ）系に変更は生じていないため、パススイッチ１２の選択に変更は発生しない。
【００４９】
一方、通知用スイッチ制御部１３ｅでは、上記パススイッチ１２が予備（ＷＥＳＴ）系に切り替わったと同時に保護タイマのカウントを開始するが、この例では保護時間Ｔｊ＞Ｔｗ（＝α＋Ｔｋ）であるために、保護タイマはタイムアウトせず、よって、装置の現用（ＥＡＳＴ）系に変更は発生しない。
【００５０】
また、ノードＢがＷＥＳＴ系で運用中（現用）の場合は、伝送路遅延差Ｔの経過時に装置の現用（ＷＥＳＴ）系で警報検出されたことにより、パススイッチ１２を直ちに予備（ＥＡＳＴ）系に切替え、よってパススイッチ１２からエラーデータは出力されない。この瞬時警報は比較的に短い時間αの後に回復しており、パススイッチ制御部１１ｗでは該瞬時警報回復後の時間を計測すると共に、所定の切戻時間Ｔｋを経過すると、パススイッチ１２を装置の現用（ＷＥＳＴ）系に切り戻す。この場合もＷＥＳＴ系は既に障害回復しているのでパススイッチ１２からはエラーデータは出力されない。
【００５１】
一方、通知用スイッチ制御部１３ｗでは、上記パススイッチ１２が装置の予備（ＥＡＳＴ）系に切り替わったと同時に保護タイマのカウントを開始するが、この例では保護時間Ｔｊ＞Ｔｅ（＝α＋Ｔｋ）であるために、保護タイマはタイムアウトせず、よって、装置の現用（ＷＥＳＴ）系に変更は発生しない。
【００５２】
図５（Ｂ）は下位（ノードＡ，ｃ間）の現用（ｗｏｒｋ）系で発生した継続警報の影響がノードＢに伝搬する場合を示しており、ＥＡＳＴ系で検出される継続警報は伝送路遅延差Ｔの後にＷＥＳＴ系でも検出される。この場合もパススイッチ１２の出力にはエラーデータが出力されないばかりか、装置の現用系の変更も発生しない。以下、これを具体的に説明する。
【００５３】
ノードＢがＥＡＳＴ系で運用中（現用）の場合は、該現用（ＥＡＳＴ）系で警報検出されたことにより、パススイッチ１２を直ちに予備（ＷＥＳＴ）系に切替え、よってパススイッチ１２からエラーデータは出力されない。この継続警報は比較的に長い時間β（＞Ｔ）の後に回復しており、パススイッチ制御部１１ｅでは該継続警報回復後の時間を計測する。
【００５４】
また、この現用（ＥＡＳＴ）系のアラーム検出中に、予備（ＷＥＳＴ）系でもアラーム信号ＡＬＷが検出されるが、この時点では未だ装置の現用（ＥＡＳＴ）系に変更は生じていないため、パススイッチ１２の選択に変更は発生しない。
【００５５】
一方、通知用スイッチ制御部１３ｅでは、上記パススイッチ１２が装置の予備（ＷＥＳＴ）系に切り替わったと同時に保護タイマのカウントを開始する。但し、両系でアラーム信号ＡＬＥ，ＡＬＷが共に検出されている区間は、ＮＡＮＤゲート回路ＮＡ１が満足し、その出力によって通知用スイッチ制御部１３ｅにおけるカウンタＣＴ２のカウント動作は停止（又はリセット）される。このため、この例では保護時間Ｔｊ＞Ｔｗ’（＝Ｔ＋Ｔｋ）となって、保護タイマは途中でタイムアウトせず、よって、装置の現用（ＥＡＳＴ）系に変更は発生しない。
【００５６】
その結果、パススイッチ制御部１１ｅでは上記継続警報回復後の時間を計測継続し，やがて，所定の切戻時間Ｔｋ（＞Ｔ）を経過すると、パススイッチ１２を装置の現用（ＥＡＳＴ）系に切り戻す。この場合もＥＡＳＴ系は既に障害回復しているのでパススイッチ１２からはエラーデータは出力されない。
【００５７】
また、ノードＢがＷＥＳＴ系で運用中（現用）の場合は、伝送路遅延差Ｔの経過時に該現用（ＷＥＳＴ）系で警報検出されたことにより、パススイッチ１２を直ちに装置の予備（ＥＡＳＴ）系に切替え、よってパススイッチ１２からエラーデータは出力されない。この継続警報は比較的に長い時間βの後に回復しており、パススイッチ制御部１１ｗでは該継続警報回復後の時間を計測すると共に、所定の切戻時間Ｔｋを経過すると、パススイッチ１２を現用（ＷＥＳＴ）系に切り戻す。この場合も該ＷＥＳＴ系は既に障害回復しているのでパススイッチ１２からはエラーデータは出力されない。
【００５８】
一方、通知用スイッチ制御部１３ｗでは、上記パススイッチ１２が装置の予備（ＥＡＳＴ）系に切り替わったと同時に保護タイマのカウントを開始する。但し、この場合も保護時間Ｔｊ＞Ｔｅ’（＝Ｔ＋Ｔｋ）であるために、保護タイマは途中でタイムアウトせず、よって、装置の現用（ＷＥＳＴ）系に変更は発生しない。
【００５９】
図６は第２の実施の形態によるノードの要部構成図で、２系統分のパススイッチ１２ｅ，１２ｗ設けると共に、その後段にＦＦ１（図１の装置の運用系保持部３に相当）の動作に連動して切り替わる第２のスイッチ（ＳＳＷ）１４を備える場合を示している。
【００６０】
ＥＭ１，ＥＭ２の各読出データは夫々パススイッチ１２ｅ，１２ｗに分配される。パススイッチ１２ｅ，１２ｗを通過した主信号は、更にＳＳＷ１４において、装置の現用系／予備系の選択に従って選択される。このＦＦ１の出力が、装置の運用系選択情報としてファ−ムへ通知され、装置警報として発出される。その他の構成については、上記図２で述べたものと同様でよい。
【００６１】
図７，図８は第２の実施の形態によるノードの動作説明図（１），（２）で、図７は装置の運用（ＥＡＳＴ）系で瞬時警報が発生した場合の動作を示している。これは上記図４（Ａ）の状況に対応する。図７（Ａ）は通常状態を示しており、ＥＡＳＴ系が装置の運用系の場合は、ＰＳＷ１２ｅ，１２ｗは共に端子ａ側に接続しており、またＳＳＷ１４は端子ｅ側に接続している。
【００６２】
図７（Ｂ）において、装置の運用（ＥＡＳＴ）系で瞬時警報が検出されると、ＰＳＷ１２ｅ，１２ｗが一斉に端子ｂ側に切り替わることで、ＰＳＷ１２ｅの出力にはエラーデータは出力されない。また、瞬時警報発生時（α＜Ｔ）ではＳＳＷ１４（装置の運用系）にも変化はない。
【００６３】
図７（Ｃ）において、やがてＥＡＳＴ系での瞬時警報が回復すると、所定時間Ｔｋの経過後にＰＳＷ１２ｅ，１２ｗが切り戻り、よって上記図７（Ａ）と同じ通常の状態に戻る。
【００６４】
図８は装置の運用（ＥＡＳＴ）系で継続警報が発生した場合の動作を示している。これは上記図４（Ｂ）の状況に対応する。図８（Ａ）は通常状態を示しており、上記図７（Ａ）と同一である。
【００６５】
図８（Ｂ）において、装置の運用（ＥＡＳＴ）系で継続警報が検出されると、ＰＳＷ１２ｅ，１２ｗが一斉に端子ｂ側に切り替わることで、ＰＳＷ１２ｅの出力にはエラーデータは出力されない。継続警報発生時（β＞Ｔ）では、ＰＳＷ１２ｅ，１２ｗの切替が保護時間Ｔｊ（＝Ｔ＋Ｔｋ）を超えて継続することになる。
【００６６】
図８（Ｃ）において、やがて、保護時間Ｔｊの経過により、ＳＳＷ１４（装置の運用系）が端子ｗ側に切り替わると共に、ＰＳＷ１２ｅ，１２ｗの選択は初期状態｛図８（Ａ）と同じ状態｝になる。これはＷＥＳＴ系を装置の運用系とする場合の通常状態であり、その後に上記ＥＡＳＴ系の障害が回復しても、この接続状態が維持される。
【００６７】
なお、図示しないが、下位系で瞬時／継続の警報が発生した場合も、上記図５で述べた制御・動作を図６の構成に当て嵌めることで容易に類推できる。
【００６８】
また、上記各実施の形態では、装置の運用（例えばＥＡＳＴ）系が、一旦非運用（ＷＥＳＴ）系に切り替わると、その後は、該ＷＡＥＳＴ系が装置の運用系となって各系間で対称的に動作する場合を述べたが、これに限らない。
【００６９】
例えばＥＡＳＴ系をシステムの運用系と定めると共に、該ＥＡＳＴ系の障害が回復した場合は、ＣＰＵ２１等の制御により、装置の運用系を優先的にＥＡＳＴ系側に切り戻すように構成してもよい。この場合は、ＷＥＳＴ系を装置の運用糸として対称的に動作する必要が無いため、ＰＳＣ１１ｗ，ＴＳＣ１３ｗの構成を削除できる。
【００７０】
また、上記本発明に好適なる複数の実施の形態を述べたが、本発明思想を逸脱しない範囲内で各部の構成、制御、処理及びこれらの組み合わせの様々な変更が行えることは言うまでも無い。
【００７１】
【発明の効果】
以上述べた如く本発明によれば、パススイッチの適正な切替制御と、外部への適正な切替通知を実現可能となり、よって保守者による障害対策の効率化に寄与するところが極めて大きい。
【図面の簡単な説明】
【図１】本発明の原理を説明する図である。
【図２】第１の実施の形態によるノードの要部構成図である。
【図３】実施の形態による切戻時間決定処理を説明する図である。
【図４】第１の実施の形態によるスイッチ切替動作のタイミングチャート（１）である。
【図５】第１の実施の形態によるスイッチ切替動作のタイミングチャート（２）である。
【図６】第２の実施の形態によるノードの要部構成図である。
【図７】第２の実施の形態によるノードの動作説明図（１）である。
【図８】第２の実施の形態によるノードの動作説明図（２）である。
【図９】従来技術を説明する図である。
【図１０】従来のスイッチ切替動作のタイミングチャートである。
【符号の説明】
１１　パススイッチ制御部（ＰＳＣ）
１２　パススイッチ（ＰＳＷ）
１３　通知用スイッチ制御部（ＴＳＣ）
１４　第２のスイッチ（ＳＳＷ）
２１　ＣＰＵ
２２　主メモリ（ＭＭ）
２３　共通バス
ＡＬＤ　警報検出部
ＣＰ　コンパレータ
ＣＴＲ　カウンタ
ＥＭ　エラスティックメモリ
ＦＦ　フリップフロップ
ＭＦ　マルチフレーム検出部
ＲＣ　読出制御部
ＲＧ　レジスタ
ＷＣ　書込制御部
【図１】
2004015594.tif 000003
【図２】
2004015594.tif 000004
【図３】
2004015594.tif 000005
【図４】
2004015594.tif 000006
【図５】
2004015594.tif 000007
【図６】
2004015594.tif 000008
【図７】
2004015594.tif 000009
【図８】
2004015594.tif 000010
【図９】
2004015594.tif 000011
【図１０】
2004015594.tif 000012